(57)【要約】  【課題】  ダイヤフラムとアームの取り付けを容易にして、コストの低減を図る。  【解決手段】  ダイヤフラム２４の支点側のアーム取付部２６は円柱状に突設されて、その外周面に取付溝２６０を備え、アーム３３はダイヤフラムの取付溝に対して外周方向から嵌着可能な溝形形状の固定部３５を備え、ダイヤフラムのアーム取付部２６とアーム３３の固定部が嵌め込み形式で固定される。ダイヤフラム２４の作用点側のアーム取付部２５とアーム３３の固定部３４は、支点側と同じ形式でもよく、アーム取付部２５とアーム３３をねじで締結する形式でもよい。【選択図】  図４
2007085305.tif 000002
【特許請求の範囲】
【請求項１】
空気を吸入し、送り出すダイヤフラムを有するポンプ装置と、電磁駆動機構の電磁作用によって揺動運動するマグネット付きのアームで、ダイヤフラムを駆動する形式のポンプ駆動装置と、これら各装置を収容するケースとを備え、前記アームの作用点が前記ダイヤフラムの略中心位置に、前記アームの支点が前記ダイヤフラムの外周縁部所定の位置に設定されて、前記アームが前記ダイヤフラムの作用点及び支点に形成されたアーム取付部に固定され、前記ダイヤフラムの作用面に横断的に取り付けられるエアー・ポンプにおいて、
前記ダイヤフラムの少なくとも支点側のアーム取付部は前記ダイヤフラムの軸方向に向けて筒状又は柱状に突設されて、その外周面に取付溝を有し、
前記アームに前記ダイヤフラムの取付溝に対してその外周方向から嵌着可能な溝形形状の固定部を備えることを特徴とするエアー・ポンプ。
【請求項２】
アームの溝形形状の固定部は、アーム取付部の取付溝に沿って嵌合可能に略同一形状に形成された係止部と、前記係止部と前記アームの縁部との間に前記係止部と前記アーム取付部とを係脱可能に形成された係脱部とを有する請求項１に記載のエアー・ポンプ。
【請求項３】
空気を吸入し、送り出すダイヤフラムを有するポンプ装置と、電磁駆動機構の電磁作用によって揺動運動するマグネット付きのアームで、ダイヤフラムを駆動する形式のポンプ駆動装置とを備え、前記アームの作用点が前記ダイヤフラムの略中心位置に、前記アームの支点が前記ダイヤフラムの外周縁部所定の位置に設定されて、前記アームが前記ダイヤフラムの作用点及び支点に形成されたアーム取付部に固定され、前記ダイヤフラムの作用面に横断的に取り付けられるエアー・ポンプにおいて、
前記ダイヤフラムの少なくとも支点側のアーム取付部は筒状に形成され、
前記アームに前記支点側のアーム取付部に差し込み可能な略楔形形状の固定部を備えることを特徴とするエアー・ポンプ。
【請求項４】
ダイヤフラムの支点側のアーム取付部はダイヤフラムの軸方向と略平行に設けられ、アームの略楔形形状の固定部は、前記ダイヤフラムのアーム取付部に向けて延ばされる請求項３に記載のエアー・ポンプ。
【請求項５】
ダイヤフラムの支点側のアーム取付部はダイヤフラムの軸方向と略直角に設けられ、アームの略楔形形状の固定部は、前記ダイヤフラムのアーム取付部に向けて延ばされる請求項３に記載のエアー・ポンプ。
【請求項６】
ダイヤフラムの作用点側のアーム取付部とアームの固定は、ダイヤフラムの支点側のアーム取付部とアームの固定と同じ形式、又はアーム取付部とアームをねじで締結する形式、又はアーム取付部をアームに形成された穴に圧入する形式から選択される請求項１乃至５のいずれかに記載のエアー・ポンプ。
【請求項７】
ケースに、ダイヤフラムの支点側のアーム取付部に近接する外周縁部を押え保持する押え部を備える請求項１乃至６のいずれかに記載のエアー・ポンプ。
【発明の詳細な説明】
【技術分野】
【０００１】
本発明は、観賞魚用の水槽にエアを供給するエアー・ポンプに関する。
【背景技術】
【０００２】
一般に、この種のエアー・ポンプは、観賞魚用の水槽内の水にエアレーションを行ったり、水槽内の水にエアリフトを形成したり、水槽内の水を浄化する濾過装置に水を通したりするのに使用されている。従来のエアー・ポンプは、空気を吸入し、送り出すダイヤフラムを有するポンプ装置と、電磁駆動機構の電磁作用によって往復運動するマグネット付きのアームで、ダイヤフラムを駆動する形式のポンプ駆動装置とを備え、これらの装置が横長の略直方体形状のケースに収容される。ケースの前部に空気の出口が突出され、後部又は側部から、ポンプ駆動装置に接続された電源コードが延ばされる。この種のエアー・ポンプが特許文献１に記載されている。
【０００３】
ところで、近年、小型の水槽が居住空間に設置面積を大きく採らないで設置できることから、その需要が高く、これを受けて、エアー・ポンプの小型化が要求されている。従来、エアー・ポンプを小型するために、アームの作用点がダイヤフラムの略中心位置に、アームの支点がダイヤフラムの外周縁部所定の位置に設定されて、アームがダイヤフラムの作用点及び支点に形成された２つのアーム取付部に固定され、ダイヤフラムの作用面に横断的に取り付けられる。この場合、ダイヤフラムの各アーム取付部はダイヤフラムの作用面から円筒状に突出される。一方、アームの固定部はダイヤフラムの各アーム取付部を挿通可能な２つの穴からなり、各穴の内径は各アーム取付部の外径よりも少し小さくしてある。ダイヤフラムの各アーム取付部をアームの各穴に圧入して、ダイヤフラムにアームが取り付けられる。また、ダイヤフラムの各アーム取付部が筒状又は柱状に突出され、支点側のアーム取付部に対して、アームの固定部が３つの爪状に分割され、これがアーム取付部にかしめ固定され、作用点側のアーム取付部とアームがねじ止めされるものもある。
【特許文献１】特開平７−２０８３４１号公報
【発明の開示】
【発明が解決しようとする課題】
【０００４】
しかしながら、従来のエアー・ポンプで、アームの作用点がダイヤフラムの略中心位置に、アームの支点がダイヤフラムの外周縁部所定の位置にそれぞれ設定されて、アームがダイヤフラムの作用点及び支点に形成された２つのアーム取付部に固定される形式では、既述のとおり、ダイヤフラムの各アーム取付部（円筒部）をアームの各穴に圧入したり、ダイヤフラムの支点側のアーム取付部にアームの固定部をかしめ、作用点側のアーム取付部とアームをねじ止めしたりするため、いずれの手法も作業が容易でなく、多くの作業時間を必要とし、コストが高くなるという問題がある。
【０００５】
本発明は、このような従来の課題を解決するもので、この種のエアー・ポンプの、特に、アームの作用点がダイヤフラムの略中心位置に、アームの支点がダイヤフラムの外周縁部所定の位置にそれぞれ設定されて、アームがダイヤフラムの作用点及び支点に形成された２つのアーム取付部に固定される形式において、ダイヤフラムとアームの取り付けを容易にし、作業時間を削減して、コストの低減を図ること、を目的とする。
【課題を解決するための手段】
【０００６】
上記目的を達成するために、本発明のエアー・ポンプは、空気を吸入し、送り出すダイヤフラムを有するポンプ装置と、電磁駆動機構の電磁作用によって揺動運動するマグネット付きのアームで、ダイヤフラムを駆動する形式のポンプ駆動装置と、これら各装置を収容するケースとを備え、前記アームの作用点が前記ダイヤフラムの略中心位置に、前記アームの支点が前記ダイヤフラムの外周縁部所定の位置に設定されて、前記アームが前記ダイヤフラムの作用点及び支点に形成されたアーム取付部に固定され、前記ダイヤフラムの作用面に横断的に取り付けられるエアー・ポンプにおいて、前記ダイヤフラムの少なくとも支点側のアーム取付部は前記ダイヤフラムの軸方向に向けて筒状又は柱状に突設されて、その外周面に取付溝を有し、前記アームに前記ダイヤフラムの取付溝に対してその外周方向から嵌着可能な溝形形状の固定部を備えることを要旨とする。この場合、アームの溝形形状の固定部は、アーム取付部の取付溝に沿って嵌合可能に略同一形状に形成された係止部と、前記係止部と前記アームの縁部との間に前記係止部と前記アーム取付部とを係脱可能に形成された係脱部とを有することが好ましい。ダイヤフラムの作用点側のアーム取付部とアームの固定は、ダイヤフラムの支点側のアーム取付部とアームの固定と同じ形式、又はアーム取付部とアームをねじで締結する形式、又はアーム取付部をアームに形成された穴に圧入する形式から選択される。また、ケースに、ダイヤフラムの支点側のアーム取付部に近接する外周縁部を押え保持する押え部を備えることが好ましい。
【０００７】
また、本発明のエアー・ポンプは、空気を吸入し、送り出すダイヤフラムを有するポンプ装置と、電磁駆動機構の電磁作用によって揺動運動するマグネット付きのアームで、ダイヤフラムを駆動する形式のポンプ駆動装置とを備え、前記アームの作用点が前記ダイヤフラムの略中心位置に、前記アームの支点が前記ダイヤフラムの外周縁部所定の位置に設定されて、前記アームが前記ダイヤフラムの作用点及び支点に形成されたアーム取付部に固定され、前記ダイヤフラムの作用面に横断的に取り付けられるエアー・ポンプにおいて、前記ダイヤフラムの少なくとも支点側のアーム取付部は筒状に形成され、前記アームに前記支点側のアーム取付部に差し込み可能な略楔形形状の固定部を備えることを要旨とする。この場合、ダイヤフラムの支点側のアーム取付部はダイヤフラムの軸方向と略平行に設けられ、アームの略楔形形状の固定部は、前記ダイヤフラムのアーム取付部に向けて延ばされる形式でもよく、また、ダイヤフラムの支点側のアーム取付部はダイヤフラムの軸方向と略直角に設けられ、アームの略楔形形状の固定部は、前記ダイヤフラムのアーム取付部に向けて延ばされる形式でもよい。ダイヤフラムの作用点側のアーム取付部とアームの固定は、ダイヤフラムの支点側のアーム取付部とアームの固定と同じ形式、又はアーム取付部とアームをねじで締結する形式、又はアーム取付部をアームに形成された穴に圧入する形式から選択される。また、ケースに、ダイヤフラムの支点側のアーム取付部に近接する外周縁部を押え保持する押え部を備えることが好ましい。
【発明の効果】
【０００８】
本発明のエアー・ポンプは、上記の各構成により、少なくともダイヤフラムの支点側のアーム取付部に、アームの固定部を嵌め込み形式又は差し込み形式で固定して、ダイヤフラムにアームを取り付けるので、ダイヤフラムとアームの取り付けを容易にし、作業時間を削減して、コストの低減を図ることができる。また、さらにダイヤフラムの作用側のアーム取付部とアームの固定部を、支点側と同じ形式で固定することにより、さらにダイヤフラムとアームの取り付けを容易にし、作業時間を大幅に削減して、コストを大幅に低減することができる。
【発明を実施するための最良の形態】
【０００９】
以下、本発明の実施の形態について、図１乃至図１８を用いて説明する。図１乃至図１１に本発明の第１の実施の形態を示している。図１において、エアー・ポンプ１は、空気を吸入し、送り出すポンプ装置２と、ポンプ装置２を駆動するポンプ駆動装置３とを備え、これら各装置２、３がケース４に収容される。このエアー・ポンプ１は新規な小型の仕様になっている。
【００１０】
ポンプ装置２は、ポンプ本体フレーム２１と、ダイヤフラム２４とを具備する。ポンプ本体フレーム２１はプラスチック材からなり、四角形のフレーム２２と円形のフレーム２３とを一体に有し、四角形のフレーム２２に空気吸入孔（図示省略）、筒状の空気吐出口２２１、空気流路（図示省略）を形成され、円形のフレーム２３にダイヤフラム２４が取り付けられる。この場合、四角形のフレーム２２の片側一方の面は閉塞されて、その外側に円形のフレーム２３が突出される。なお、四角形及び円形の各フレーム２２、２３の幅は空気吐出口２２１の外径よりも少し大きい程度で、全体として幅狭になっている。四角形のフレーム２２と円形のフレーム２３との間に２つの空気流通孔（図示省略）が形成され、これら２つの空気流通孔で両フレーム２２、２３間が連通される。四角形のフレーム２２（の一辺）に空気吸入孔と円筒状の空気吐出口２２１が近接して形成され、この四角形のフレーム２２の内側に空気吸入孔から一方の空気流通孔に至る略半円形の空気流路と、他方の空気流通孔から空気吐出口に至る略半円形の空気流路が画成され、併せて全体が円形に形成される。２つの空気流通孔にはそれぞれ、空気を（互いに反対の）一方向に流すための弁装置（図示省略）が取り付けられる。ここで弁装置は、空気流通孔を覆う舌片状の弁板と、弁板を押える押え部材を有する。一方の空気流通孔に弁装置が円形のフレーム２３側から取り付けられて、空気が四角形のフレーム２２側から円形のフレーム２３側へ一方向に送られ、他方の空気流通孔に弁装置が四角形のフレーム２２側から取り付けられて、空気が円形のフレーム２３側から四角形のフレーム２２側へ一方向に送られるようになっている。四角形のフレーム２２の片側他方の面は開口され、この開口された面に２重構造の閉塞部材（図示省略）が嵌め込まれる。ここで閉塞部材はゴム製の円形のパッキンとプラスチック製の四角形の蓋部材で、円形のパッキンが四角形のフレーム２２内の空気流路上に気密に取り付けられ、その上から四角形の蓋部材が四角形のフレーム２２の開口に圧接して嵌め込まれる。このようにしてポンプ本体フレーム２１が構成され、円形のフレーム２３にダイヤフラム２４が被せ付けられる。
【００１１】
ダイヤフラム２４は、図２に示すように、ゴム材により、全体が略椀形状に形成され、その外側面で中心位置とその偏心位置の２箇所に、ポンプ駆動装置３に採用されるアーム３３を取り付けるためのアーム取付部２５、２６が一体に形成される。このエアー・ポンプ１は既述のとおり、小型仕様になっているため、全体を圧縮するために、アーム３３の支点が作用点と共にダイヤフラム２４上に設けられ、アーム３３の作用点はダイヤフラム２４の中心位置に、アーム３３の支点がダイヤフラム２４の外周縁部付近の所定位置にそれぞれ設定され、それぞれの設定位置にアーム取付部２５、２６が設けられる。これらのアーム取付部２５、２６は後述するアーム３３の取付作業を考慮して、少なくとも支点側のアーム取付部２５はダイヤフラム２４の軸方向に向けて円筒状又は円柱状に突設されて、その外周面に取付溝が設けられることが好ましい。この実施の形態では、支点側のアーム取付部２５は略円柱状に突出され、その高さ方向（又は長さ方向）中間部に全周方向（円周全体）に取付溝２５０が形成され、さらにアーム３３の取り付けを容易にするために、作用点側のアーム取付部２６もまた支点側のアーム取付部２５と同じ形式で、略円柱状に突出され、その高さ方向（又は長さ方向）中間部に全周方向（円周全体）に取付溝２６０が形成される。また、これらアーム取付部２５、２６の間には、各アーム取付部２５、２６の高さの中間の高さの補強リブ２７が設けられる。この補強リブ２７の表面（上面）は略Ｕ字形又は略Ｖ字形に形成されることが好ましい。さらに、この略Ｕ字形又は略Ｖ字形の最も低い部分に溝が形成されてもよい。このようにして各アーム取付部２５、２６の柔軟性を維持しつつ、強度が高められる。なお、これら固定部２５、２６に対するアーム３３の取り付けは後述する。
【００１２】
ポンプ駆動装置３は、電磁駆動機構３１と、この電磁駆動機構３１の電磁作用によって揺動運動するマグネット３２付きのアーム３３とを具備する。電磁駆動機構３１は公知のもので、電磁回路を形成するヨーク３１１及びこのヨーク３１１に取り付けられたコア３１２と、コア３１２に巻装され且つ電源コード３１３に接続された電磁コイル３１４とにより組み立てられる。アーム３３は金属製の細長い板で、図３に示すように、先端側の一部が略直角方向に曲げられて、その外側面にマグネット３２が取り付けられる。また、アーム３３の中間及び基端にそれぞれ、このアーム３３をダイヤフラム２４の各アーム取付部２５、２６に固定するための２つの固定部３４、３５が設けられ、これらの固定部３４、３５がダイヤフラム２４の取付溝２５０、２６０に対してその外周方向から嵌着可能な溝形形状に形成される。この場合、各固定部３４、３５は、各アーム取付部２５、２６の取付溝２５０、２６０に沿って嵌合可能に略同一形状に形成された係止部と、この係止部とアーム３３の縁部との間に係止部とアーム取付部とを係脱可能に形成された係脱部とを有することが好ましい。この実施の形態では、アーム３３の中間には、アーム３３の長さ方向中心よりも少し基端側に、ダイヤフラム２４の中心位置のアーム取付部２５に固定される固定部３４が形成され、この固定部３４はアーム３３の幅方向中心を中心としてアーム取付部２５の取付溝２５０に嵌合可能な円形に切り欠かれ、かつ当該円形の略中心から一方の側縁部（このアーム３３を横向きにして下側縁部）に向けて、当該側縁部に当該円形と略同じ直径幅に漸次拡開する略三角形に切り欠かれた、溝形形状に形成される。円形の溝の縁部が係止部３４１で、略三角形の溝が係脱部３４２である。また、アーム３３の基端には、ダイヤフラム２４の偏心位置のアーム取付部２６に固定される固定部３５が形成され、この固定部３５はアーム３３の幅方向中心を中心としてアーム取付部２６の取付溝２６０に嵌合可能な円形に切り欠かれ、かつ当該円形の略中心から基端縁部に向けて、当該基端縁部に当該円形と略同じ直径幅に漸次拡開する略三角形に切り欠かれた、溝形形状に形成される。円形の溝の縁部が係止部３５１で、略三角形の溝が係脱部３５２で、中間の固定部３４と向きが異なるが、基本的に同じ形式である。このようにしてアーム３３は、図４に示すように、基端縁部の略三角形の係脱部３５２がダイヤフラム２４の偏心位置のアーム取付部２６の取付溝２６０上に横から嵌め込まれて、円形の係止部３５１がアーム取付部２６の取付溝２６０の概ね全周に嵌着され、中間の略三角形の係脱部３４２がダイヤフラム２４の中心位置のアーム取付部２５の取付溝２５０上に上から嵌め込まれて、円形の係止部３４１がアーム取付部２５の取付溝２５０の概ね全周に嵌着され、ダイヤフラム２４の作用面（変形面）上に横断的に取り付けられる。
【００１３】
ケース４はプラスチック材により成形され、図５に示すように、下部ケース４１と上部ケース４２とからなり、全体が横長の略直方体形状に組み立てられる。下部ケース４１は、図６に示すように、上面に開口４１０を有し、周壁４１１と底壁４１２とからなる。この下部ケース４１には底壁４１２の４隅に脚の取付部４１３が形成されて、４つの脚４４が取り付けられる。この場合、脚の取付部４１３は、底壁４１２に円形の凹部が形成され、且つ凹部の底に円形の貫通穴が開けられる。脚４４は上部の円柱形の固定部と下部の略円錐形の足部とからなり、固定部と足部との間には溝が設けられる。この脚４４は、足部が取付部４１３の凹部側から貫通穴を通して外部に突出され、固定部が凹部に嵌め込まれるとともに、足部と固定部との間の溝に貫通穴の縁部が嵌入されて取り付けられる。
【００１４】
下部ケース４１の内部は、複数のリブ４１４〜４１７により、各装置２、３を嵌め込み可能な２つの区画４０１、４０２に仕切られる。この場合、下部ケース４１の内部は長手方向中間部に幅方向に向けて境界リブ４１４が下部ケース４１の周壁４１１よりも低く形成され、その片側一方（後部側一方）にポンプ駆動装置３の電磁駆動機構３１の設置区画４０１が区画され、その片側他方（前部側他方）にポンプ装置２とポンプ駆動装置３のマグネット３２付きのアーム３３の設置区画４０２が区画される。さらに、ポンプ駆動装置３の電磁駆動機構３１の設置区画４０１には、周壁４１１の両側部内壁、後部内壁及び境界リブ４１４から（この区画４０１の）内方に突出して、電磁駆動機構３１を押え保持可能な押えリブ４１５が付設される。この区画４０１にはまた、後部壁（又はいずれか一方の側部壁）の角部付近の開口４１０縁部に電源コード３１３を通すためのコード挿通部４０３が半円形の溝形に形成される。またさらに、ポンプ装置２及びポンプ駆動装置３のマグネット３２付きのアーム３３の設置区画４０２には、周壁４１１の片側一方の側部壁と前部壁との間に略四角形の枠状に形成され、ポンプ本体フレーム２１の周囲を取り囲み保持する包囲リブ４１６が下部ケース４１の周壁４１１よりも少し高くして付設される。この包囲リブ４１６は、ダイヤフラム２４を片側他方の側部壁に向けて、かつ円筒状の空気吐出口２２１を前部壁に向けて嵌合可能に、片側他方の側部壁に対向する面がダイヤフラム２４の下側半外周部を保持可能に略半円状に切り欠かれて、ダイヤフラム保持部４１８が設けられ、前部壁に対接する面と前部壁との間に円筒状の空気吐出口２２１の下側外周部を保持可能に断面半円形の溝が形成され、これがさら前部壁から半円筒状に突出されて、吐出口挿通部４０４が設けられる。さらに、この包囲リブ４１６に併せて、前部内壁から包囲リブ４１６のダイヤフラム保持部４１８と平行に僅かに突出され、ダイヤフラムの２４の支点側縁部に当接して押える押えリブ４１７が付設される。
【００１５】
また、この下部ケース４１の外部には、図７に示すように、水槽の開口縁部に係止可能なフック５を備える。このフック５は、ケース４と一体的に収納可能で、ケース４から外部に突出されて、フック５とケース４との間に水槽の開口縁部を挟持して係止する形式に構成され、さらにフック５とケース４との間の間隔を調整する機構を併せて備える。この場合、フック５はケース４と同じプラスチック材により、図８に示すように、細長い板片を略Ｌ字形に折り曲げたような外形に形成される。このフック５の幅はケース４の幅の概ね３分の１位で、曲折された部分を境に一端側（以下、基端側という）の長さはケース４の（下部ケース４１と上部ケース４２を合わせた）高さに比べて少し短く、他端側（以下、先端側という）の長さは基端側の概ね３分の１位に設定される。このフック５の基端側は、図９に示すように、外側面の両側が内側面の両側に対して少し幅狭に形成されて、外側面の左右両側縁部に段差５０が設けられ、外側面の（上）端縁部が同様に形成されて、同様の段差５０が設けられる。このフック５の基端側の外側面の曲折部分付近には、指先が掛かる程度の突状部５３が形成される。この突状部５３の場合、フック５の幅方向に向けて略「一」字形に形成され、これがフック５の長さ方向に２つ設けられる。また、図８に示すように、このフック５の基端側の内側面の、幅方向中央にフック５の長手方向に向けて溝５１（以下、ガイド溝５１という）が設けられ、このガイド溝５１の両側に沿って波形の凹凸部５２が形成される。なお、この凹凸部５２は半円形の断面形状にすることが望ましいが、四角形又は三角形の断面形状でもかまわない。一方、下部ケース４１には、図１０に示すように、フックの取付部４３が設けられる。この取付部４３は、下部ケース４１の後部外壁の略中央にフック５が直交して、フック５の基端側の内側面が対接して取り付け可能に、（その左右両側に当たる位置に）一対の挟持部４３１が突設され、さらにこれら挟持部４３１の間に突起４３３及び係止爪４３４が設けられて、フック５のガイド溝５１及び凹凸部５２とともにフック５のストッパー及びフック５とケース４との間の間隔を調整する機構が構成される。一対の挟持部４３１はそれぞれ後部外壁に後方に向けて略Ｌ字形の断面形状に形成され、各挟持部４３１が後部外壁から後方に突出され、曲折された先端が内向きで相互に対向される。この一対の挟持部４３１間の形状はフック５の内側面と外側面との間の段差形状に対応し、各挟持部４３１の内側面間にフック５の（幅広の）内側面の両側を挟持可能に、各挟持部４３１の先端間にフック５の（幅狭の）外側面の両側を挟持可能に形成される。これら挟持部４３１の間には後部壁が略Ｕ字形に切り欠かれて、フック５に対して弾性的に当接可能な板ばね状の係合面４３２が設けられる。この係合面４３２の下端中央にフック５の内側面中央のガイド溝５１に嵌合可能な突起４３３（以下、ガイド突起４３３という）が外側に向けて突設され、その両側にフック５の内側面両側の凹凸部５２に係止可能な係止爪４３４が突設される。また、この取付部４３は板ばね状の係合面４３２から（下部ケース４の）底壁４１２側に回り込んだ位置にフック５の曲折された先端側が嵌合可能に凹部４３５（以下、収納凹部４３５という）が形成される。このようにしてフック５は、基端側をこの下部ケース４１の両挟持部４３１間に挟持され、フック５の内側面のガイド溝５１に両挟持部４３１間の板ばね状の係合面４３２のガイド突起４３３が嵌め込まれて、ケース４の上下に対応する上下方向にスライド可能に保持され、また、フック５の内側面の各凹凸部５２と板ばね状の係合面４３２の各係止爪４３４がストッパーになって、フック５の先端が下部ケース４１から任意の位置まで突出され、各係止爪４３４が凹凸部５２の凹部の任意の位置に係止されて、フック５とケース４との間の間隔が調整可能に取り付けられる。
【００１６】
これに対して、上部ケース４２は下面に開口を有し、周壁４２１と天壁４２２とからなる。この上部ケース４２には下部ケース４１の後部壁及び前部壁に対応して、電源コード３１３を通すためのコード挿通部４０３、フックの取付部４３、及びポンプ本体フレーム２１の空気吐出口２２１を挿通するための吐出口挿通部４０４の残部が形成される。この場合、図１０に示すように、コード挿通部４０３は後部壁（又はいずれか一方の側部壁）の角部付近の開口縁部に半円形の溝形に形成される。フックの取付部４３は、後部外壁の略中央に、下部ケース４１側の一対の挟持部４３１の延長方向に、同様に一対の挟持部４３１が突設され、後部外壁の上部に、各挟持部４３１間に連続して略Ｌ字形の断面形状の上端保持部４３６が設けられる。この一対の挟持部４３１及び上端保持部４３６の形状はフック５の基端側の内側面と外側面との間の段差形状に対応し、各挟持部４３１の内側面間にフック５の幅広の内側面の両側を挟持可能に、かつ各挟持部４３１の先端間に幅狭の外側面の両側を挟持可能に、さらに上端保持部４３６の内側にフック５の内側面の（上）端縁部が嵌入可能に、かつ上端保持部４３６の縁部に沿ってフック５の外側面の（上）端縁部が保持可能に形成される。なお、この上部ケース４２の場合、各挟持部４３１及び上端保持部４３６で囲まれた後部壁の部分には、下部ケース４１のような切り込みやガイド突起４３３、係止爪４３４など特別な機能を有する形状は付けられていない。図５に示すように、吐出口挿通部４０４は、前部壁に（ポンプ本体フレーム２１の）円筒状の空気吐出口２２１の上側外周部を保持可能に半円筒状に突出して形成される。なお、この上部ケース４２の内部には、下部ケース４１内に設置されたポンプ装置２やポンプ駆動装置３の各部を上から押さえ込み保持する押えリブが併せて設けられてもよい。このようにして上部ケース４２を下部ケース４１に組み立てられることにより、コード挿通部４０３は円形に、フックの取付部４３の特に略Ｌ字形の断面形状の部分（各一対の挟持部４３１及び上端保持部４３６）が略逆Ｕ字形に、吐出口挿通部４０４が円筒形にそれぞれ組み合わせられる。
【００１７】
このケース４にポンプ装置２、ポンプ駆動装置３が次のようにして組み立てられる。図１に示すように、下部ケース４１の後部側の区画４０１に、ポンプ駆動装置３の電磁駆動機構３１がコア３１２を前部側の区画４０２に向けて嵌め込まれる。この嵌め込みにより、電磁駆動機構３１の各部は周囲が各押えリブ４１７に押え込まれて、区画４０１内に固定される。また併せて、電源コード３１３がコード挿通部４０３となる半円形の溝を通して下部ケース４１外部に伸ばされる。下部ケース４１の前部側の区画４０２に、ポンプ装置２がポンプ駆動装置３のマグネット付きのアーム３３が既述のとおりに取り付けられて嵌め込まれる。この場合、ポンプ装置２は所定の向きにして包囲リブ４１６内に嵌め込まれ、この嵌め込みにより、ダイヤフラム２４が包囲リブ４１６の略半円形のダイヤフラム保持部４１８から突出され、このダイヤフラム２４の支点側の縁部が押えリブ４１７により包囲リブ４１６に向けて押え込まれる。また、ポンプ装置２の円筒状の空気吐出口２２１が前部壁の半円形の溝に嵌め込まれる。このようにして図５に示すように、下部ケース４１に上から上部ケース４２が被せられて固定される。なお、このケース４の場合、上部ケース４２と下部ケース４１は、上部ケース４２又は下部ケース４１のいずれか一方の周壁に係止突起が形成され、いずれか他方の周壁に係止溝が形成されて、これら係止突起と係止溝との係合により固定される。勿論、この固定形式は任意で、上部ケース４２と下部ケース４１が、ねじの締結など各種固定手段により固定されてもかまわない。
【００１８】
このケース４にフック５は次のようにして取り付けられる。図１１に示すように、フック５は基端側が上部、下部ケース４２、４１の一対の挟持部４３１間に下端から差し込まれる。このとき、フック５の内側面の凹凸部５２と各挟持部４３１間の板ばね状の係合面４３２の各係止爪４３４との間で噛み合いが発生するが、フック５を少し強く押し入れることで、板ばね状の係合面４３２が内側に変位されるので、各係止爪４３４は各凹凸部５２上を滑り、各凹凸部５２（の凹部）に係合されない。フック５はワンタッチで装着され、フック５の基端側の両側縁部及び上端縁部が上部及び下部の各ケース４２、４１の各挟持部４３１間、及び上部ケース４２の上端保持部４３６に沿って保持されるとともに、フック５の曲折された先端側が下部ケース４１の底壁４１２の収納凹部４３５に回り込んで嵌合され、フック５はケース４の後部壁及び底壁に一体的に収納される。
【００１９】
このエアー・ポンプ１を使用する場合、このエアー・ポンプ１を、従来と同様に、水槽の外部近傍に設置してもよく、またフック５を用いて、水槽の開口縁部に外掛けしてもよい。このエアー・ポンプ１を外掛けする場合、フック５外側面の突状部５３に指先を掛けて、フック５を操作する。フック５全体をケース４の下部方向に引き下げると、フック５がケース４の一対の挟持部４３１間を下方に移動されて、フック５がケース４（下部ケース４１の底壁４１２）から外部に突出される。反対に、フック５全体をケース４の上部方向に押し戻すと、フック５がケース４の一対の挟持部４３１間を上方に移動されて、フック５がケース４の取付部４３に戻される。この場合も、フック５内側面の各凹凸部５２と各挟持部４３１間の板ばね状の係合面４３２の各係止爪４３４との間で噛み合いが発生するが、フック５を少し強く引き出し又は押し戻すことで、各係止爪４３４は各凹凸部５２上を滑り、フック５を任意の位置まで移動して、フック５とケース４との間の間隔を調整することができる。この間隔を水槽の開口縁部の厚みに合わせて調整したところで、フック５の操作を止めれば、フック５の各凹凸部５２（の凹部）に下部ケース４１の板ばね状の係合面４３２の各係止爪４３４が弾性的に係合されるので、フック５の動きを規制してフック５は固定される。このようにしてフック５を水槽の開口縁部に係止することにより、エアー・ポンプ１を水槽の開口縁部の外側に掛けることができる。このようにしてエアー・ポンプ１の空気の出口にホースを取り付けてエアーを送る各種器具を連結し、電源コード３１３を電源に接続する。
【００２０】
以上説明したように、第１の実施の形態では、ダイヤフラム２４の支点側のアーム取付部２６の取付溝２６０に、アーム３３の基端の溝形形状の固定部３５を横から嵌め込んで固定するとともに、ダイヤフラム２４の作用点側のアーム取付部２５の取付溝２５０に、アーム３３の中間の溝形形状の固定部３４を上から嵌め込んで固定して、ダイヤフラム２４にアーム３３を取り付けるので、ダイヤフラム２４とアーム３３の取り付けを容易にし、従来に比べて作業時間を大幅に削減して、コストを大幅に低減することができる。なお、この実施の形態では、ダイヤフラム２４の作用点側のアーム取付部２５とアーム３３の固定を、支点側のアーム取付部２６とアーム３３の固定と同じ形式にしているが、少なくとも支点側のアーム取付部２６をダイヤフラム２４の軸方向に向けて（円）筒状又は（円）柱状に突設して、その外周面に取付溝２６０を設け、アーム３３にダイヤフラム２４の取付溝２６０に対してその外周方向から嵌着可能な溝形形状の固定部３５を備えていれば、作用点側のアーム取付部２５とアーム３３をねじで締結する形式にしてもよく、また作用点側のアーム取付部２５をアーム３３に形成された穴に圧入する形式にしてもよい。このようにしても、従来に比べて、ダイヤフラム２４とアーム３３の取り付けを容易にし、作業時間を削減して、コストを低減することができる。また、このエアー・ポンプ１の組み立てでは、下部ケース４１内に各装置２、３を嵌め込み、その上から上部ケース４２を被せて、両者間の係止爪と係止溝との係合により固定するだけなので、エアー・ポンプ１の組み立てを容易にして、その組み立てを短時間で行うことができ、全体としてコストの大幅な削減を図ることができる。
【００２１】
また、このエアー・ポンプ１の場合、特に、ダイヤフラム２４の２つのアーム取付部２５、２６の間に、補強リブ２７を各アーム取付部２５、２６の高さの中間の高さで、表面（上面）を略Ｕ字形又は略Ｖ字形にして形成し、これらのアーム取付部２５、２６の柔軟性を維持しつつ、強度を高めているので、これらのアーム取付部２５、２６に取り付けられたアーム３３を有効に揺動運動させて、ダイヤフラム２４を確実に動作させることができる。さらに、ケース４に、ダイヤフラム２４の支点側のアーム取付部２６に近接する外周縁部を押え保持する押えリブ４１７を設けたので、アーム３３の揺動運動により、ダイヤフラム２４の、アーム３３の支点が設定された外周縁部がポンプ本体フレーム２１（の円形のフレーム２３）から引き離される方向に外力を受けても、この外力を受ける部分を押えリブ４１７で押さえ込み、ダイヤフラム２４をポンプ本体フレーム２１（の円形のフレーム２３）に確実に保持することができ、ポンプ装置２を確実に動作させることができる。特に、ダイヤフラム２４が動作中の発熱で、弾性力が低下した場合、あるいはダイヤフラム２４が経年劣化で、弾性力が劣化した場合に、この押えリブ４１７は有効で、ダイヤフラム２４の初期の取付状態を保持して、ポンプ装置２の機能を長く維持することができる。
【００２２】
またさらに、このエアー・ポンプ１の場合、ケース４に水槽の開口縁部に係止可能なフック５を設けたので、フック５を水槽の開口縁部に係止して、エアー・ポンプ１を水槽に外掛けすることができ、このエアー・ポンプ１の外掛けにより、水槽の近傍にエアー・ポンプ１のための設置面積を確保する必要がない。また、フック５をケース４と一体的に収納可能に設けたので、フック５をケースの取付部４３に収納しておくことにより、このエアー・ポンプ１を、従来と同様に、水槽の外部近傍に設置して使用することもできる。さらに、フック５をケース４から外部に突出し、フック５とケース４との間に水槽の開口縁部を挟持して係止する形式にして、さらにフック５とケース４との間の間隔を調整可能にしたので、水槽の開口縁部の厚さが異なる場合でも、フック５とケース４との間の間隔を各水槽の厚さに適宜合せて、エアー・ポンプ１を水槽の外側に安定して掛けることができる。しかもこの場合、ケース４の底壁４１２の脚４４が水槽の外壁に当接するので、エアー・ポンプ１に振動及びこの振動に伴う騒音の発生を防止することができる。なお、この実施の形態では、フックの取付部４３をケース４の後部外壁に設けたが、フック５の取付位置は任意で、ケース４の前部外壁に設けてもよく、側部壁に設けてもよい。また、フック５を下部ケース４１側ではなく、上部ケース４２側に突出させるようにしてもよく、この場合は、ケース４の天面が水槽の外壁に接触するので、ケース４の天面にゴムなどの防振手段を併せて設けることが好ましい。また、この実施の形態では、フック５をケース４に当接して収納する位置から外部に引き出し可能に、そして外部から収納位置へ押し戻し可能に設けているが、フック５をケース４の任意の面にヒンジ部材により取り付けて、収納位置から外部へ、外部から収納位置へ回動可能に又は折り畳み可能に設けてもよい。さらに、フック５をケース４から切り離し、ケース４に取り付け、取り外し可能に設けてもよい。この場合、フック５をケース４の一部に固定手段を介して固定してもよく、フック５にケース４のホルダーを設けて、このホルダーにケースを保持するようにしてもよい。またさらに、フック５をケース４に固定又は一体化して、エアー・ポンプ１を水槽の外掛け専用にしてもよい。また、この実施の形態では、フック５を略Ｌ字形に形成しているが、このフック５の形状はケース４のデザイン、又はフック５のケース４における取付位置若しくは収納形式によって適宜変更される。
【００２３】
図１２乃至図１８に第２乃至第８の実施の形態を示し、これらの実施の形態では、このエアー・ポンプ１に採用される、特にダイヤフラム２４とアーム３３の取付形式について例示している。なお、第２及び第３の実施の形態は、ダイヤフラムの少なくとも支点側のアーム取付部がダイヤフラムの軸方向に向けて筒状又は柱状に突設されて、その外周面に取付溝が設けられ、アームはダイヤフラムの取付溝に対してその外周方向から嵌着可能な溝形形状の固定部を備え、特にこの溝形形状の固定部が、アーム取付部の取付溝に沿って嵌合可能に略同一形状に形成された係止部と、係止部とアームの縁部との間に係止部とアーム取付部とを係脱可能に形成された係脱部とを有する形式である。この場合、ダイヤフラムの作用点側のアーム取付部とアームの固定は、ダイヤフラムの支点側のアーム取付部とアームの固定と同じ形式、又はアーム取付部とアームをねじで締結する形式、又はアーム取付部をアームに形成された穴に圧入する形式から選択される。また、第４乃至第８の実施の形態は、ダイヤフラムの少なくとも支点側のアーム取付部が筒状に形成され、アームは支点側のアーム取付部に差し込み可能な略楔形形状の固定部を備え、特に、ダイヤフラムの支点側のアーム取付部はダイヤフラムの軸方向と略平行又は略直角に設けられ、アームの略楔形形状の固定部が、ダイヤフラムのアーム取付部に向けて延ばされる形式である。この場合も、ダイヤフラムの作用点側のアーム取付部とアームの固定は、ダイヤフラムの支点側のアーム取付部とアームの固定と同じ形式、又はアーム取付部とアームをねじで締結する形式、又はアーム取付部をアームに形成された穴に圧入する形式から選択される。
【００２４】
図１２に第２の実施の形態を示している。この実施の形態では、ダイヤフラムの２つのアーム取付部は第１の実施の形態と同様である。これに対して、アーム３３の中間の固定部３４は、第１の実施の形態と同様で、基端の固定部３５は、アーム３３の幅方向中心を中心としてアーム取付部の取付溝に嵌合可能な円形に切り欠かれ、かつ当該円形の略中心から一方の側縁部（このアーム３３を横向きにして下側縁部）に向けて、当該側縁部に当該円形と略同じ直径幅に漸次拡開する略三角形に切り欠かれた、溝形形状に形成される。円形の溝の縁部が係止部３５１で、略三角形の溝が係脱部３５２で、中間の固定部３４と同じ形式である。この形式では、アーム３３は、基端及び中間の各略三角形の係脱部３５２、３４２がダイヤフラムの偏心位置及び中心位置の各アーム取付部の取付溝上に上から嵌め込まれて、円形の係止部３５１、３４１がアーム取付部の取付溝の概ね全周に嵌着され、ダイヤフラムの作用面（変形面）上に横断的に取り付けられる。このようにしても第１の実施の形態と同様の作用効果を得ることができる。
【００２５】
図１３に第３の実施の形態を示している。この実施の形態では、ダイヤフラムの２つのアーム取付部のうち、中心位置のアーム取付部は取付溝に代えて、中心軸上にダイヤフラムの内側から外側に向けてねじが通される。偏心位置のアーム取付部は第１の実施の形態と同様である。これに対して、アーム３３の２つの固定部３４、３５のうち、中間の固定部３４は円形の穴３４１のみが形成される。アーム３３の基端には、第１の実施の形態と同様の固定部３５が形成される。この形式では、アーム３３は、基端側の略三角形の係脱溝３５２がダイヤフラムの偏心位置のアーム取付部の取付溝上に横から嵌め込まれて、円形の係止縁部３５１がアーム取付部の取付溝の概ね全周に嵌着され、中間の円形の穴にダイヤフラムの中心位置のアーム取付部のねじが挿通されてナットで固定され、ダイヤフラムの作用面（変形面）上に横断的に取り付けられる。このようにしても第１の実施の形態と同様の作用効果を得ることができる。なお、この実施の形態の場合、アーム３３の基端に、第２の実施の形態と同様の固定部が設けられて、ダイヤフラムの基端側のアーム取付部に第２の実施の形態と同様に固定されてもよく、このようにしても第１の実施の形態と同様の作用効果を得ることができる。
【００２６】
図１４に第４の実施の形態を示している。この実施の形態では、ダイヤフラムの２つのアーム取付部のうち、偏心位置のアーム取付部は、ダイヤフラムの軸方向に対して略直角の略垂直方向に円筒状に形成され、中心位置のアーム取付部は、ダイヤフラムの軸方向と平行に円筒状に形成されて、その中心軸上にダイヤフラムの内側から外側に向けてねじが通される。これに対して、アーム３３の２つの固定部３４、３５のうち、基端の固定部３５は偏心位置のアーム取付部に差し込み可能な略楔形形状に形成される。この場合、この固定部３５はアーム３３の基端側に略逆Ｌ字形の突状部が切り欠き形成され、その突状部の先端（下端）が矢尻形に形成される。このようにしてアーム３３の略楔形形状の固定部３５が、ダイヤフラムのアーム取付部に向けて延ばされる。一方、中間の固定部３４は円形の穴３４１のみが形成される。この形式では、アーム３３は、基端の略楔形形状の固定部３５がダイヤフラムの偏心位置の円筒状のアーム取付部に上から差し込まれて抜け止めされ、中間の円形の穴にダイヤフラムの中心位置のアーム取付部のねじが挿通されてナットで固定され、ダイヤフラムの作用面（変形面）上に横断的に取り付けられる。このようにしても第１の実施の形態と同様の作用効果を得ることができる。
【００２７】
図１５に第５の実施の形態を示している。この実施の形態では、ダイヤフラムの２つのアーム取付部のうち、偏心位置のアーム取付部は、ダイヤフラムの軸方向と略平行に円筒状に形成され、中心位置のアーム取付部は、ダイヤフラムの軸方向と略平行に円筒状に形成されて、その中心軸上にダイヤフラムの内側から外側に向けてねじが通される。これに対して、アーム３３の２つの固定部３４、３５のうち、基端の固定部３５は偏心位置のアーム取付部に差し込み可能な略楔形形状に形成される。この場合、この固定部３５はアーム３３の基端側が突状に切り欠き形成され、さらにその先端が矢尻形に形成されて、直角方向に曲折される。このようにしてアーム３３の略楔形形状の固定部３５が、ダイヤフラムのアーム取付部に向けて延ばされる。一方、中間の固定部３４は円形の穴３４１のみが形成される。この形式では、アーム３３は、基端の略楔形形状の固定部３５がダイヤフラムの偏心位置の円筒状のアーム取付部に前から差し込まれて抜け止めされ、中間の円形の穴にダイヤフラムの中心位置のアーム取付部のねじが挿通されてナットで固定され、ダイヤフラムの作用面（変形面）上に横断的に取り付けられる。このようにしても第１の実施の形態と同様の作用効果を得ることができる。
【００２８】
図１６に第６の実施の形態を示している。この実施の形態では、ダイヤフラムの２つのアーム取付部のうち、偏心位置のアーム取付部は、ダイヤフラムの軸方向と略平行に円筒状に形成され、中心位置のアーム取付部は、ダイヤフラムの軸方向と略平行に円筒状又は円柱状に形成される。これに対して、アーム３３の２つの固定部３４、３５のうち、基端の固定部３５は偏心位置のアーム取付部に差し込み可能に略楔形形状に形成される。この場合、この固定部３５はアーム３３の基端側が突状に切り欠き形成され、さらにその先端が矢尻形に形成されて、直角方向に曲折される。このようにしてアーム３３の略楔形形状の固定部３５が、ダイヤフラムのアーム取付部に向けて延ばされる。一方、中間の固定部３４は円形の穴３４１が形成される。この場合、円形の穴３４１は内側の内径と外側の内径が異なり、内側の内径は中間位置のアーム取付部の外径よりも少し大きく、外側は少し外側に突出されて内径が中間位置のアーム取付部の外径と略同じか又は少し小さくして形成される。この形式では、アーム３３は、基端の略楔形形状の固定部３５がダイヤフラムの偏心位置の円筒状のアーム取付部に前から差し込まれて抜け止めされ、中間の円形の穴３４１に内側から外側へダイヤフラムの中心位置のアーム取付部が挿通されて、ダイヤフラムの作用面（変形面）上に横断的に取り付けられる。このようにしても第１の実施の形態と同様の作用効果を得ることができる。
【００２９】
図１７に第７の実施の形態を示している。この実施の形態では、ダイヤフラムの２つのアーム取付部のうち、偏心位置のアーム取付部は、ダイヤフラムの軸方向と略平行に円筒状に形成され、中心位置のアーム取付部は、ダイヤフラムの軸方向と略平行に円筒状に形成されて、その中心軸上にダイヤフラムの内側から外側に向けてねじが通される。これに対して、アーム３３の２つの固定部３４、３５のうち、基端の固定部３５は偏心位置のアーム取付部に差し込み可能な略楔形形状に形成される。この場合、この固定部３５はアーム３３の基端側の幅が漸次狭められて略三角形状に形成されて、その頂部から先端が矢尻形の突起が突出形成され、直角方向に曲折される。このようにしてアーム３３の略楔形形状の固定部３５が、ダイヤフラムのアーム取付部に向けて延ばされる。一方、中間の固定部３４は円形の穴３４１のみが形成される。この形式では、アーム３３は、基端の略楔形形状の固定部３５がダイヤフラムの偏心位置の円筒状のアーム取付部に前から差し込まれて抜け止めされ、中間の円形の穴にダイヤフラムの中心位置のアーム取付部のねじが挿通されてナットで固定され、ダイヤフラムの作用面（変形面）上に横断的に取り付けられる。このようにしても第１の実施の形態と同様の作用効果を得ることができる。
【００３０】
図１８に第８の実施の形態を示している。この実施の形態では、ダイヤフラムの２つのアーム取付部は共に、ダイヤフラムの軸方向と略平行に円筒状に形成される。これに対して、アーム３３の２つの固定部３４、３５のうち、基端の固定部３５は偏心位置のアーム取付部に差し込み可能な略楔形形状に形成される。この場合、この固定部３５はアーム３３の基端側の幅が漸次狭められて略三角形状に形成され、その頂部から先端が矢尻形の突起が突出形成されて、直角方向に曲折される。このようにしてアーム３３の略楔形形状の固定部３５が、ダイヤフラムのアーム取付部に向けて延ばされる。一方、中間の固定部３４は基端の固定部３５と同じ形式で、中心位置のアーム取付部に差し込み可能に略楔形形状に形成される。この場合、この固定部３４はアーム３３の中間に切り起しにより、先端が矢尻形の突起が形成されて、直角方向に曲折される。このようにしてアーム３３の略楔形形状の固定部３４が、ダイヤフラムのアーム取付部に向けて延ばされる。この形式では、アーム３３は、基端及び中間の略楔形形状の各固定部３５、３４がダイヤフラムの偏心位置及び中心位置の各円筒状のアーム取付部に前から差し込まれて抜け止めされ、ダイヤフラムの作用面（変形面）上に横断的に取り付けられる。このようにしても第１の実施の形態と同様の作用効果を得ることができる。特に、この形式の場合、ダイヤフラムの各アーム取付部とアームの各固定部を可及的に小さくできるので、エアー・ポンプの（超）小型化に対応することができる。
【図面の簡単な説明】
【００３１】
【図１】本発明の第１の実施の形態におけるエアー・ポンプの内部構成を示す前側から見た斜視図
【図２】（ａ）同エアー・ポンプに採用されるダイヤフラムの平面図（ｂ）同エアー・ポンプに採用されるダイヤフラムの側面図（ｃ）同エアー・ポンプに採用されるダイヤフラムの断面図
【図３】（ａ）同エアー・ポンプに採用されるアームの平面図（ｂ）同エアー・ポンプに採用されるアームの側面図（ｃ）同エアー・ポンプに採用されるアームの先端側の端面図
【図４】同エアー・ポンプに採用されるポンプ装置の斜視図
【図５】同エアー・ポンプの外部構成を示す前側から見た斜視図
【図６】同エアー・ポンプに採用される下部ケースの前側から見た斜視図
【図７】同エアー・ポンプの外部構成を示す後側から見た斜視図
【図８】同エアー・ポンプに採用されるフックの内側面側から見た斜視図
【図９】同エアー・ポンプに採用されるフックの外側面側から見た正面図
【図１０】同エアー・ポンプの外部構成を示し、フックが取り外された状態を示す後側から見た斜視図
【図１１】同エアー・ポンプの外部構成を示し、フックが収納位置から外部に引き出された状態を示す後側から見た斜視図
【図１２】（ａ）本発明の第２の実施の形態における、エアー・ポンプに採用されるアームの平面図（ｂ）同アームの側面図（ｃ）同アームの端面図
【図１３】（ａ）本発明の第３の実施の形態における、エアー・ポンプに採用されるアームの平面図（ｂ）同アームの側面図（ｃ）同アームの端面図
【図１４】（ａ）本発明の第４の実施の形態における、エアー・ポンプに採用されるアームの平面図（ｂ）同アームの側面図（ｃ）同アームの端面図
【図１５】（ａ）本発明の第５の実施の形態における、エアー・ポンプに採用されるアームの平面図（ｂ）同アームの側面図（ｃ）同アームの基端側の端面図（ｄ）同アームの先端側の端面図
【図１６】（ａ）本発明の第６の実施の形態における、エアー・ポンプに採用されるアームの平面図（ｂ）同アームの側面図（ｃ）同アームの基端側の端面図（ｄ）同アームの先端側の端面図
【図１７】（ａ）本発明の第７の実施の形態における、エアー・ポンプに採用されるアームの平面図（ｂ）同アームの側面図（ｃ）同アームの基端側の端面図（ｄ）同アームの先端側の端面図
【図１８】（ａ）本発明の第８の実施の形態における、エアー・ポンプに採用されるアームの平面図（ｂ）同アームの側面図（ｃ）同アームの先端側の端面図（ｄ）同アームの先端側の端面図
【符号の説明】
【００３２】
１  エアー・ポンプ
２  ポンプ装置
２１  ポンプ本体フレーム
２２  四角形のフレーム
２２１  （円）筒状の空気吐出口
２３  円形のフレーム
２４  ダイヤフラム
２５  アーム取付部
２５０  取付溝
２６  アーム取付部
２６０  取付溝
２７  補強リブ
３  ポンプ駆動装置
３１  電磁駆動機構
３１１  ヨーク
３１２  コア
３１３  電源コード
３１４  電源コイル
３２  マグネット
３３  アーム
３４  固定部
３４１  係止部
３４２  係脱部
３５  固定部
３５１  係止部
３５２  係脱部
４  ケース
４０１  区画
４０２  区画
４０３  コード挿通部
４０４  吐出口挿通部
４１  下部ケース
４１０  開口
４１１  周壁
４１２  底壁
４１３  脚の取付部
４１４  境界リブ
４１５  押えリブ
４１６  包囲リブ
４１７  押えリブ
４１８  ダイヤフラム保持部
４２  上部ケース
４２１  周壁
４２２  天壁
４３  フックの取付部
４３１  挟持部
４３２  係合面
４３３  （ガイド）突起
４３４  係止爪
４３５  （収納）凹部
４３６  上端保持部
４４  脚
５  フック
５０  段差
５１  （ガイド）溝
５２  凹凸部
５３  突状部
【図１】
2007085305.tif 000003
【図２】
2007085305.tif 000004
【図３】
2007085305.tif 000005
【図４】
2007085305.tif 000006
【図５】
2007085305.tif 000007
【図６】
2007085305.tif 000008
【図７】
2007085305.tif 000009
【図８】
2007085305.tif 000010
【図９】
2007085305.tif 000011
【図１０】
2007085305.tif 000012
【図１１】
2007085305.tif 000013
【図１２】
2007085305.tif 000014
【図１３】
2007085305.tif 000015
【図１４】
2007085305.tif 000016
【図１５】
2007085305.tif 000017
【図１６】
2007085305.tif 000018
【図１７】
2007085305.tif 000019
【図１８】
2007085305.tif 000020